(57)【要約】  【課題】  外付け部品を装着することなく予期しない充電切れに対応できる携帯機器を提供する。  【解決手段】  携帯機器は、バッテリ１５を有するメイン電源装置１１と、バッテリ１７を有するサブ電源装置１２と、制御部１３とを備える。制御部１３は、メイン電源装置１１内のバッテリ１５に機器全体を動作させるために必要な電力が蓄えられているか否かを判定し、必要電力が蓄えられていると判定した場合はメイン電源装置１１から供給される電力によって機器全体を動作させ、必要電力が蓄えられていないと判定した場合はサブ電源装置１２から供給される電力によって機器全体を動作させる。【選択図】      図１
2005130563.tif 000002
【特許請求の範囲】
【請求項１】
充放電が可能な第１のバッテリを有する第１の電源装置と、
充放電が可能な第２のバッテリを有する第２の電源装置と、
前記第１のバッテリに機器全体を動作させるために必要な電力が蓄えられているか否かを判定する判定手段と、
機器全体を動作させるために必要な電力が前記第１のバッテリに蓄えられていると前記判定手段が判定した場合は前記第１の電源装置から供給される電力によって機器全体を動作させ、機器全体を動作させるために必要な電力が前記第１のバッテリに蓄えられていないと前記判定手段が判定した場合は前記第２の電源装置から供給される電力によって機器全体を動作させる制御手段と、
を備えることを特徴とする携帯機器。
【請求項２】
前記第１の電源装置から出力される電力によって前記第２のバッテリを充電する手段を備え、
前記第２のバッテリの容量が前記第１のバッテリの容量よりも小さい請求項１に記載の携帯機器。
【発明の詳細な説明】
【技術分野】
【０００１】
本発明は、バッテリから電力が供給される携帯機器に関するものである。
【背景技術】
【０００２】
従来の携帯機器として、ここでは携帯電話機を例に挙げて説明する。通常、携帯電話機は電池パックを内部に格納している。当該電池パックは、バッテリと当該バッテリの出力電圧を所定の電圧に変換して出力するレギュレータとがパッケージ化されたものであり、携帯電話機本体に対して装脱着可能な構造となっている。
【０００３】
予め電池パックを充電しておくことで外部からの電力供給のない環境においても携帯電話機を長時間使用することができる。しかし、電池パックの充電可能な容量に限りがあるため、外部から電力供給ができない環境において予期しない充電切れが生じる可能性があり、このような状況が緊急の連絡を待っている場合等に起こると問題となる。
【０００４】
この問題を解決するために、太陽電池を搭載した携帯電話用補助充電器（特許文献１参照）や乾電池を搭載した携帯電話用臨時電源装置（特許文献２参照）が提案されている。
【特許文献１】実用新案登録第３０９１６３７号公報
【特許文献２】実用新案登録第３０９４５４５号公報
【発明の開示】
【発明が解決しようとする課題】
【０００５】
しかしながら、ユーザーは通常ポケットやカバン等の中に入れて携帯電話機を持ち歩くため、上記太陽電池を搭載した携帯電話用補助充電器もポケットやカバン等の中に入っている可能性が高く、上記太陽電池を搭載した携帯電話用補助充電器が携帯電話機に供給することができる電力量は携帯電話機を動作させるために十分な電力量ではないと考えられる。したがって、上記太陽電池を搭載した携帯電話用補助充電器はあまり実用的ではない。
【０００６】
また、上記太陽電池を搭載した携帯電話用補助充電器及び上記乾電池を搭載した携帯電話用臨時電源装置は、携帯電話機本体とは別体であるため携帯するのが煩わしいが、常時携帯しておかなければ、予期せぬ電池パックの充電切れのときに対応することができないという問題点がある。特に上記乾電池を搭載した携帯電話用臨時電源装置は、単三の乾電池を４本以上具備する構成であって嵩張るため、携帯するのが煩わしい。
【０００７】
本発明は、上記の問題点に鑑み、外付け部品を装着することなく予期しない充電切れに対応できる携帯機器を提供することを目的とする。
【課題を解決するための手段】
【０００８】
上記目的を達成するために本発明に係る携帯機器においては、充放電が可能な第１のバッテリを有する第１の電源装置と、充放電が可能な第２のバッテリを有する第２の電源装置と、前記第１のバッテリに機器全体を動作させるために必要な電力が蓄えられているか否かを判定する判定手段と、機器全体を動作させるために必要な電力が前記第１のバッテリに蓄えられていると前記判定手段が判定した場合は前記第１の電源装置から供給される電力によって機器全体を動作させ、機器全体を動作させるために必要な電力が前記第１のバッテリに蓄えられていないと前記判定手段が判定した場合は前記第２の電源装置から供給される電力によって機器全体を動作させる制御手段と、を備える構成とする。
【０００９】
このような構成によると、第１の電源装置の充電切れが起こっても第２の電源装置によって電力供給がなされるので、外付け部品を装着することなく予期しない第１の電源装置の充電切れに対応できる。すなわち、緊急時において第１の電源装置の充電切れが起こっても携帯機器の電源が切れるような状態の回避が可能となる。
【００１０】
また、前記第１の電源装置から出力される電力によって前記第２のバッテリを充電する手段を備え、前記第２のバッテリの容量が前記第１のバッテリの容量よりも小さくしてもよい。
【００１１】
このような構成によると、携帯機器に第２の電源装置充電用の外部端子を設ける必要がなく、外部端子の構成を従来の携帯機器と同一にすることができる。
【発明の効果】
【００１２】
本発明によれば、外付け部品を装着することなく予期しない充電切れに対応できる携帯機器を実現することができる。これにより、緊急時において携帯電話機の電源が切れるような状態の回避が可能となる。
【発明を実施するための最良の形態】
【００１３】
本発明の一実施形態について図面を参照して以下に説明する。ここでは、携帯電話機を例に挙げて説明する。本発明に係る携帯電話機の機能ブロック図を図１に示す。
【００１４】
図１に示す本発明に係る携帯電話機は、アンテナ１と、アンテナ１を介して無線基地局（不図示）との無線信号の送受信を行う無線部２と、無線部２によって送受信される無線信号に含まれる音声信号に所定の信号処理を施す音声処理部３と、音声処理部３によって処理される音声信号に応じた音を外部に放音するスピーカ４と、集音した外部音声に応じた電気信号を音声処理部３に供給するマイク５とを備える。
【００１５】
また、図１に示す本発明に係る携帯電話機は、無線部２によって送受信される無線信号に含まれるテキストデータやＨＴＭＬデータやプログラム等の各種データに所定の信号処理を施すデータ処理部６と、複数のキーを有し数字や文字などのデータ入力や機能選択等の各種指示の入力を行う操作部７と、データ処理部６によって処理された各種データや操作部７によって入力されたデータを記憶する記憶部８とを備える。
【００１６】
さらに、図１に示す本発明に係る携帯電話機は、操作部７によって入力されたデータや記憶部８から読み出されたデータを表示する表示部９と、多色発光が可能であって機器本体の筐体上面端部に配置されるＬＥＤ１０と、メイン電源装置１１と、サブ電源装置１２と、メイン電源装置１１又はサブ電源装置１２から供給される電力を各ブロックに供給するとともに携帯電話機全体の動作を制御する制御部１３と、スイッチ１４とを備える。
【００１７】
メイン電源装置１１は、充放電が可能なバッテリ１５と、バッテリ１５の出力電圧を所定の電圧に変換して制御部１３に出力するレギュレータ１６とを具備している。メイン電源装置１１は携帯電話機内部に格納され、携帯電話機に対して装脱着可能な構造となっている。また、サブ電源装置１２は、充放電が可能なバッテリ１７と、バッテリ１７の出力電圧を所定の電圧に変換して制御部１３に出力するレギュレータ１８とを具備している。サブ電源装置１２は携帯電話機内部に内蔵されている。なお、バッテリ１７にはバッテリ１５よりも容量が小さいものを用いるようにする。
【００１８】
次に、上記のように構成された携帯電話機のメイン電源装置１１及びサブ電源装置１２に関する動作制御を図２に示すフローチャートに基づいて説明する。
【００１９】
図１の携帯電話機の電源がオフ状態において、操作部７の電源オン／オフ切換機能が割り当てられたキーがユーザーによって押下されると、図２に示す制御フローが開始する。制御フロー開始時にはレギュレータ１６、１８ともにオン状態であるので、制御部１３を動作させるために必要な電力がメイン電源装置１１内のバッテリ１５或いはサブ電源装置１２内のバッテリ１７の少なくとも一方に蓄えられていれば、図１の携帯電話機の電源がオン状態になりステップＳ１０に移行する。一方、制御部１３を動作させるために必要な電力がメイン電源装置１１のバッテリ１５にもサブ電源装置１２のバッテリ１７にも蓄えられていなければ、制御部１３が動作しないので、図１の携帯電話機の電源がオフ状態のままで図２の制御フローは実行されない。
【００２０】
ステップＳ１０では、制御部１３が、バッテリ１５の出力電圧Ｖ１を検出し、各ブロックを動作させるために必要な電力がメイン電源装置１１内のバッテリ１５に蓄えられているか否かを出力電圧Ｖ１の検出結果に基づいて判定する。なお、後述するステップＳ７０においてサブ電源装置１２内のバッテリ１７を充電する可能性があるため、ステップＳ１０ではバッテリ１５が蓄えている電力からバッテリ１７の容量を差し引いても各ブロックを動作させるために必要な電力が確保できるか否かを判定するとよい。
【００２１】
各ブロックを動作させるために必要な電力がメイン電源装置１１内のバッテリ１５に蓄えられていないと判定されれば（ステップＳ１０のＮｏ）、制御部１３が、バッテリ１７の出力電圧Ｖ２を検出し、各ブロックを動作させるために必要な電力がサブ電源装置１２内のバッテリ１７に蓄えられているか否かを出力電圧Ｖ２の検出結果に基づいて判定する（ステップＳ２０）。
【００２２】
各ブロックを動作させるために必要な電力がサブ電源装置１２内のバッテリ１７に蓄えられていると判定されれば（ステップＳ２０のＹｅｓ）、制御部１３は、レギュレータ１６をオフ状態にし、レギュレータ１８をオン状態にして、サブ電源装置１２から電力供給を受け、サブ電源装置１２から供給された電力を各ブロックに送出する（ステップＳ３０）。続くステップＳ４０において、制御部１３は、メイン電源装置１１の電力残量が十分で無い、或いはメイン電源装置１１が携帯電話機本体から外されている等の旨を表示部９にフロート表示させ、ステップＳ５０に移行する。
【００２３】
一方、ステップＳ２０において各ブロックを動作させるのに必要な電力がサブ電源装置１２内のバッテリ１７に蓄えられていないと判定されれば（ステップＳ２０のＮｏ）、携帯電話機本体の電源がオフ状態となり（ステップ S１４０）、フローを終了する。
【００２４】
ステップＳ５０では、制御部１３が、バッテリ１５の出力電圧Ｖ１を検出し、各ブロックを動作させるために必要な電力がメイン電源装置１１内のバッテリ１５に蓄えられているか否かを出力電圧Ｖ１の検出結果に基づいて判定する。なお、後述するステップＳ７０においてサブ電源装置１２内のバッテリ１７を充電する可能性があるため、ステップＳ５０ではバッテリ１５が蓄えている電力からバッテリ１７の容量を差し引いても各ブロックを動作させるために必要な電力が確保できるか否かを判定するとよい。
【００２５】
電力残量のあるメイン電源装置１１が携帯電話機本体に装着される等の要因により、各ブロックを動作させるために必要な電力がメイン電源装置１１内のバッテリ１５に蓄えられていると判定されれば（ステップＳ５０のＹｅｓ）、制御部１３は、レギュレータ１６をオン状態にし、レギュレータ１８をオフ状態にして、メイン電源装置１１から電力供給を受け、メイン電源装置１１から供給された電力を各ブロックに送出する（ステップＳ６０）。
【００２６】
続くステップＳ７０では、制御部１３が、通常オフ状態であるスイッチ１４をオン状態にする。これにより、サブ電源装置１２はメイン電源装置１１から電力を受け取り、充電を開始する。続くステップＳ８０において、制御部１３は、サブ電源装置１２が充電中である旨を表示部９にピクト表示させるとともにＬＥＤ１０を点灯させ、ステップＳ９０に移行する。
【００２７】
ステップＳ９０では、制御部１３が、バッテリ１７の出力電圧Ｖ２を検出し、サブ電源装置１２内のバッテリ１７が満充電になったか否かを出力電圧Ｖ２の検出結果に基づいて判定する。サブ電源装置１２内のバッテリ１７が満充電になったと判定されれば（ステップＳ９０のＹｅｓ）、制御部１３は、スイッチ１４をオフ状態にしてサブ電源装置１２の充電を終了させ（ステップＳ１００）、サブ電源装置１２の充電が終了した旨を表示部９にフロート表示させるとともにＬＥＤ１０を消灯させる（ステップｓ１１０）。
【００２８】
また、上述したステップＳ１０において各ブロックを動作させるために必要な電力がメイン電源装置１１内のバッテリ１５に蓄えられていると判定されれば（ステップＳ１０のＹｅｓ）、制御部１３は、レギュレータ１６をオン状態にし、レギュレータ１８をオフ状態にして、メイン電源装置１１から電力供給を受け、メイン電源装置１１から供給された電力を各ブロックに送出する（ステップＳ１２０）。続くステップＳ１３０において制御部１３はバッテリ１７の出力電圧Ｖ２を検出し、サブ電源装置１２内のバッテリ１７が満充電であるか否かを出力電圧Ｖ２の検出結果に基づいて判定する。サブ電源装置１２内のバッテリ１７が満充電であると判定されれば（ステップＳ１３０のＹｅｓ）、ステップＳ１０に移行する。一方、サブ電源装置１２内のバッテリ１７が満充電でないと判定されれば（ステップＳ１３０のＮｏ）、ステップＳ７０に移行する。
【００２９】
このような動作によると、メイン電源装置１１の充電切れが起こっても携帯電話機に内蔵されているサブ電源装置１２によって電力供給がなされるので、外付け部品を装着することなく予期しないメイン電源装置１１の充電切れに対応できる。すなわち、緊急時においてメイン電源装置１１の充電切れが起こっても携帯電話機の電源が切れるような状態の回避が可能となる。また、メイン電源装置１１からの電力供給によってサブ電源装置１２の充電が行われるので、サブ電源装置１２充電用の外部端子を設ける必要がなく、外部端子の構成を従来の携帯電話機と同一にすることができる。
【００３０】
なお、サブ電源装置１２によって電力供給がなされているとき（ステップＳ３０〜ステップＳ５０）及びサブ電源装置１２の充電中のとき（ステップＳ７０〜ステップＳ１００）は、制御部１３が携帯電話機本体を自動的に節電モード(壁紙設定をオフにする等)にするようにユーザー設定できる機能を設けてもよい。また、携帯電話機の電源がオンのときに電力供給がメイン電源装置１１とサブ電源装置１２のどちらからなされているのかを制御部１３が表示部９にピクト表示させてもよい。
【００３１】
また、本実施形態では携帯電話機を例に挙げて説明したが、本発明はバッテリから供給される電力を電源とする携帯機器全般、例えばＰＨＳ（Personal Handyphone System）やＰＤＡ（Personal Digital Assistant）等にも適用することができる。
【図面の簡単な説明】
【００３２】
【図１】は、本発明に係る携帯電話機の一構成例を示す機能ブロック図である。
【図２】は、図１の携帯電話機の制御フローチャートである。
【符号の説明】
【００３３】
１０  ＬＥＤ
１１  メイン電源装置
１２  サブ電源装置
１３  制御部
１４  スイッチ
１５、１７  バッテリ
１６、１８  レギュレータ
【図１】
2005130563.tif 000003
【図２】
2005130563.tif 000004